(57)【要約】【課題】本発明は、運行時などに捩り等の外力を受けた場合においても適正に回動し、損傷や破損のおそれがなく非常に丈夫なモジュ−ル式のコンベアベルトを提供する。【解決手段】両側に嵌合凸部３と嵌合凹部４とが対向状に形成されると共に、該嵌合凹凸部３・４を各々挿通する挿通孔５・６が形成されてなる両側一対のリンク部材２と、該挿通孔５・６に挿通して両側のリンク部材２を連結せしめるべく両端に各々ネジ孔９が形成されたロッド８と、該ロッド８の両端に各々リンク部材２を回動自在に取付けるべく該ネジ孔９に螺合自在とされた頭付き取付けボルト１０とよりなり、上記リンク部材２を各々嵌合凹凸部３・４でもって前後に嵌合せしめつつ両側に列状配設せしめ、対応する両側のリンク部材２に挿通孔５・６を介して順次ロッド８を串刺し状に挿通せしめると共に、外方よりネジ孔９に取付けボルト１０を螺合せしめて回動自在に帯状形成せしめられている。【選択図】図１
2013151332.tif 000002
【特許請求の範囲】
【請求項１】
両側に嵌合凸部と嵌合凹部とが対向状に形成されると共に、該嵌合凹凸部を各々通して
長手方向に挿通孔が形成されてなる両側一対のリンク部材と、該挿通孔に挿通せしめつつ
両側のリンク部材を連結せしめるべく両端に各々ネジ孔が形成されてなる所要長のロッド
と、該ロッドの両端に各々リンク部材を回動自在に取付けるべく該ネジ孔に螺合自在とさ
れた頭付き取付けボルトとよりなり、上記リンク部材を各々嵌合凹凸部でもって前後に嵌
合せしめつつ両側に所定ピッチでもって列状配設せしめ、対応する両側のリンク部材に挿
通孔を介して順次ロッドを串刺し状に挿通せしめると共に、外方よりネジ孔に取付けボル
トを螺合せしめて回動自在に帯状形成せしめることを特徴とする、コンベアベルト。    
【請求項２】
リンク部材の挿通孔は、連結するロッド間の間隔を自由に回動調整せしめるべく長孔状
に形成されてなることを特徴とする、請求項１記載のコンベアベルト。
【発明の詳細な説明】
【技術分野】
【０００１】
本発明は、コンベアベルトに関し、さらに詳細には、モジュ−ル式のコンベアベルトに
関する。
【背景技術】
【０００２】
従来より、モジュ−ル式のコンベアベルトは、食品加工分野において広く用いられてい
る。そして、かかるモジュ−ル式のコンベアベルトとしては、特表２００９−５１４７６１号公報記載のものが提案されており、これを図８乃至図１１に基づいて説明する。
【０００３】
即ち、同図中、５１はモジュ−ル式コンベアベルト、５２ａ・５２ｂは該コンベアベル
ト５１を構成する両側の細長な略ブロック体状リンク部材、５３は該各リンク部材５２ａ
・５２ｂの中央部一側に各々突設された嵌合凸部、５４は該嵌合凸部５３に対向すべく同
他側に凹状形成された嵌合凹部、５５・５６は該嵌合凸部５３と嵌合凹部５４に後記する
ロッド６０を挿通せしめるべく長手方向に沿って各々形成された挿通孔、５７は嵌合凹部
５４側の挿通孔５６に連通すべく一方のリンク部材５２ａ端部に形成された空洞部、５８
は同挿通孔５６端縁に連接すべく該空洞部５７内に内設された両側一対の係合片、５９は
同じく嵌合凹部５４側の挿通孔５６に連通すべく他方のリンク部材５２ｂ端部に形成され
た嵌合掛止部である（図９乃至図１１参照）。そして、リンク部材５２ａ・５２ｂは嵌合
凹凸部５３・５４を介して前後に嵌合せしめつつ所定ピッチでもって２列状に配設される
と共に、対応する嵌合凹凸部５３・５４の挿通孔５５・５６は各々連通するものとされて
いる。６０は嵌合凹凸部５３・５４でもって前後に嵌合する両側のリング部材５２ａ・５
２ｂを帯状に連結せしめるべくその挿通孔５５・５６より串刺し状に挿通された所要の長
さと径を有する中実棒状のロッド、６１は該ロッド６０の一端部両側に形成された係合凹
部、６２は同他端部に形成されたボタンヘッドで、該ロッド６０の係合凹部６１は一側の
リンク部材５２ａの係合片５８に係合され、ボタンヘッド６２は他側のリンク部材５２ｂ
の嵌合掛止部５９に嵌合掛止せしめられている（図９、及び図１０参照）。
【０００４】
そして、上述の如く構成された従来例は、従来と同様に所要の食品加工工場等に敷設し
て走行せしめ、食品等の被搬送物を搬送せしめるものである。
【先行技術文献】
【特許文献】
【０００５】
【特許文献１】特表２００９−５１４７６１号公報
【発明の概要】
【発明が解決しようとする課題】
【０００６】
ところで、上述の如く構成された従来のモジュ−ル式コンベアベルト５１は、正常な運
行状態下においては好適に使用することが出来るものである。
しかしながら、両側のリンク部材５２ａ・５２ｂどうしを連結するロッド６０はその一
端部の係合凹部６１を一方のリンク部材５２ａの係合片５８に係合するものとされている
から、かかるリンク部材５２ａに対してロッド６０を自由に回動せしめることが出来ない
ものである。このため、コンベアベルト５１の運行時に捩り等の外力を受けた場合には係
合片５８に大きな荷重がかかり、係合片５８を損傷せしめたり、場合によっては破損して
被搬送物中に混入して由々しき問題を惹起せしめるおそれがあるものである。          
【０００７】
本発明は従来の課題を解決し、運行時などに捩り等の外力を受けた場合においても適正
に回動し、損傷や破損のおそれがなく、ひいては、従来例に比して非常に丈夫であり、常
に被搬送物を安全、かつ確実に能率よく搬送せしめることが出来る、モジュ−ル式のコン
ベアベルトを提供するものである。
【課題を解決するための手段】
【０００８】
上記の目的を達成するため、本発明の請求項１記載の発明は、両側に嵌合凸部と嵌合凹
部とが対向状に形成されると共に、該嵌合凹凸部を各々通して長手方向に挿通孔が形成さ
れてなる両側一対のリンク部材と、該挿通孔に挿通せしめつつ両側のリンク部材を連結せ
しめるべく両端に各々ネジ孔が形成されてなる所要長のロッドと、該ロッドの両端に各々
リンク部材を回動自在に取付けるべく該ネジ孔に螺合自在とされた頭付き取付けボルトと
よりなり、上記リンク部材を各々嵌合凹凸部でもって前後に嵌合せしめつつ両側に所定ピ
ッチでもって列状配設せしめ、対応する両側のリンク部材に挿通孔を介して順次ロッドを
串刺し状に挿通せしめると共に、外方よりネジ孔に取付けボルトを螺合せしめて回動自在に帯状形成せしめることを特徴とする、コンベアベルトを要旨とするものである。    
【０００９】
本発明の請求項２記載の発明は、リンク部材の挿通孔は連結するロッド間の間隔を自由
に回動調整せしめるべく長孔状に形成されてなることを特徴とする、請求項１記載のコン
ベアベルトを要旨とするものである。
【発明の効果】
【００１０】
本発明の請求項１記載の発明は、上述のように構成されているから、前後に嵌合配設せ
しめた両側のリンク部材に挿通孔を介してロッドを串刺し状に挿通せしめると共に、ロッ
ドの両端にネジ孔を介して取付けボルトを螺合せしめつつ、両側のリンク部材をロッドで
もって回動自在な帯状に連結せしめることができ、ひいては、コンベアベルトの運行時に
捩り等の外力を受けた場合においても、ロッドが適正に回動して損傷や破損のおそれがな
く非常に丈夫であり、常に被搬送物を安全、かつ確実に能率よく搬送せしめることが出来
るものである。    
【００１１】
本発明の請求項２記載の発明は、上述のように構成されているから、長孔状の挿通孔を
通して連結するロッド間の間隔を自由に回動調整せしめることが出来るものであって、ひ
いては、コンベアベルトの運行時に捩り等の外力を受けた場合においても充分対応するこ
とができ、損傷や破損などを有効に防止せしめることが出来るものである。
【図面の簡単な説明】
【００１２】
【図１】本発明の一実施例を示す平面図である。
【図２】図１のＩ−Ｉ線に沿う一部破砕断面図である。
【図３】実施例のリング部材２を示す斜視図である。
【図４】実施例のリング部材２を示す垂直断面図である。
【図５】実施例のリング部材２を示す側面図である。
【図６】実施例のロッド８を示す斜視図である。
【図７】実施例の取付けボルト１０を示す拡大斜視図である。
【図８】従来例を示す平面図である。
【図９】図８のＩＩ−ＩＩ線に沿う断面図である。
【図１０】図９のＡ部を示す拡大断面図である。
【図１１】図９のＢ部を示す拡大断面図である。
【発明を実施するための形態】
【００１３】
以下に、本発明を実施するための形態を図面に示す一実施例に基づいて詳細に説明する
。
【００１４】
図１乃至図７は本発明の一実施例を示すもので、同図中、１はモジュ−ル式コンベアベ
ルト、２は該コンベアベルト１を構成する両側一対の細長な略ブロック体状リンク部材、
３は該各リンク部材２の中央部一側に突設された嵌合凸部、４は該嵌合凸部３に対向すべ
く同他側に凹状形成された嵌合凹部、５・６は該嵌合凸部３と嵌合凹部４に後記するロッ
ド８を挿通せしめるべく長手方向に沿って各々形成された挿通孔、７は該嵌合凹部４側の
挿通孔６に対応すべくリンク部材１の一端に切欠き状に形成された掛止凹部である（図３
及び図４参照）。そして、両側一対のリンク部材２は嵌合凹凸部３・４でもって前後に嵌
合せしめつつ所定ピッチでもって２列状に配設されると共に、嵌合凹凸部３・４の挿通孔
５・６は後記するロッド８間の間隔を自由に可動調整せしめるべくリンク部材２の連結方
向に向けて長孔状に形成されている（図５参照）。８は嵌合凹凸部３・４を介して前後に
嵌合する両側一対のリンク部材２を帯状に連結せしめるべくその挿通孔５・６より串刺し
状に挿通された所要の長さと径を有するパイプ製ロッド（図６参照）、９は該ロッド８の
長手方向に沿ってその両端部に各々形成されたネジ孔、１０はロッド８をリンク部材２に
回動自在に取付けるべく該ネジ孔９に螺合された頭突き取付けボルト（図７参照）で、該
取付けボルト１０はその頭部をリンク部材２の掛止凹部７に掛止されている（図２参照）
。
【００１５】
上述の如く構成された実施例は、従来例と同様に所要の食品加工工場等に敷設して走行
せしめ、食品等所要の被搬送物を搬送せしめる。このさい、コンベアベルト１は、前後に
嵌合する両側のリンク部材２をロッド８により回動自在な帯状に連結されているから、運
行時に捩り等の外力を受けた場合においても、ロッド８が適正に回動してコンベアベルト
１の損傷や破損を惹起せしめるおそれはないものである。
また、挿通孔５・６は長孔状に形成されているから、連結するロッド８間の間隔を自由
に回動調整せしめることが出来るものであって、コンベアベルト１の損傷等を有効に防止
せしめることが出来るものである。
【００１６】
なお、上記実施例において、掛止凹部７はリンク部材２の一端に形成されているが、こ
れに限定されるものではなく、組立作業時にリンク部材２を順不同に並列せしめて並列作業時の煩雑さを解消せしめるべく両端に掛止凹部７を各々形成せしめてもよいものである
。また、ロッド８はパイプ状とされているが、これに限定されるものではなく、中実棒状に形成せしめてもよいものである。
【符号の説明】
【００１７】
１    コンベアベルト
２    リンク部材
３    嵌合凸部
４    嵌合凹部
５    挿通孔
６    挿通孔
８    ロッド
９    ネジ孔
１０  取付けボルト
【図１】
2013151332.tif 000003
【図２】
2013151332.tif 000004
【図３】
2013151332.tif 000005
【図４】
2013151332.tif 000006
【図５】
2013151332.tif 000007
【図６】
2013151332.tif 000008
【図７】
2013151332.tif 000009
【図８】
2013151332.tif 000010
【図９】
2013151332.tif 000011
【図１０】
2013151332.tif 000012
【図１１】
2013151332.tif 000013